(57)【要約】【課題】使用環境に近い状態で高精度な水密試験を容易に実施可能とする。【解決手段】出入口１の両側に立設された支柱体２と、左右の支柱体２間に開閉自在に設けられて出入口１を閉鎖可能な防水扉４とを具備した防水扉装置において、防水扉４の止水側で左右の支柱体２の対向位置に、上端が開放された上下方向の嵌溝３３を形成し、両端部を前記両嵌溝３３に嵌合して積み重ね、止水壁３１を形成する複数の落とし堰３１ａ〜３１ｅを設け、該止水壁３１と左右の支柱体２と防水扉４との間に、試験用受水槽を形成するように構成した。【選択図】　　　　図１
2004044284.tif 000002
【特許請求の範囲】
【請求項１】
出入口の左右両側に立設された支柱体と、前記支柱体間に開閉自在に設けられて出入口を閉鎖可能な防水扉とを具備し、防水扉の水密試験設備を有する防水扉装置において、
前記防水扉の止水面側で左右の支柱体の対向位置に、上端が開放された上下方向の嵌溝を形成し、
両端部を前記両嵌溝に嵌合して積み重ね、止水壁を形成する複数の落とし堰を設け、
該止水壁と前記左右の支柱体と防水扉とにより、試験用受水槽を形成するように構成した
ことを特徴とする水密試験機能を具備した防水扉装置。
【請求項２】
防水扉を開閉駆動する扉開閉装置を設けるとともに、該扉開閉装置に、開閉駆動用の水道圧シリンダを設け、
前記水道圧シリンダの配管から試験用受水槽に試験用の水を供給する給水管を設けた
ことを特徴とする請求項１記載の水密試験機能を具備した防水扉装置。
【請求項３】
防水扉を収納する収納室を設けるとともに、扉開閉装置により防水扉を収納室と出入口の間で開閉移動自在に構成し、
前記収納室に落とし堰を収容する堰収納部を形成した
ことを特徴とする請求項１または２記載の水密試験機能を具備した防水扉装置。
【発明の詳細な説明】
【０００１】
【発明の属する技術分野】
本発明は、出入口などに開閉自在に設置されて、洪水や高潮などでオーバーフローした水の侵入を防止する防水扉装置において、容易に水密試験が可能となる水密試験機能を具備した防水扉装置に関する。
【０００２】
【従来の技術】
従来、出入口に設置される防水扉装置は、現場での据付作業後、周辺を暗環境とし、試験光を防水扉の水密部に照射して、試験光の漏れがあるかないかを検査し、これにより水密状態を確認していた。
【０００３】
【発明が解決しようとする課題】
しかしながら、オーバーフローした水をせき止める場合には、水流や水圧が防水扉に付加されるため、上記試験環境と、実際の使用環境とが大きく異なり、水密試験の信頼性が低いという問題があった。
【０００４】
本発明は、上記問題点を解決して、使用環境に近い状態で高精度な水密試験を容易に実施可能な水密試機能を具備した防水扉装置を提供することを目的とする。
【０００５】
【課題を解決するための手段】
上記目的を達成するために請求項１記載の発明は、出入口の左右両側に立設された支柱体と、前記支柱体間に開閉自在に設けられて出入口を閉鎖可能な防水扉とを具備し、防水扉の水密試験機能を有する防水扉装置において、前記防水扉の止水面側で左右の支柱体の対向位置に、上端が開放された上下方向の嵌溝を形成し、
両端部を前記両嵌溝に嵌合して積み重ね、止水壁を形成する複数の落とし堰を設け、該止水壁と前記左右の支柱体と防水扉とにより、試験用受水槽を形成するように構成したものである。
【０００６】
上記構成によれば、組立設置後やメンテナンス時に、防水扉を閉じて、落とし堰を嵌溝に落とし込んで止水壁を形成することにより、止水壁と前記左右の支柱体と防水扉とにより形成された試験用受水槽に、所定量の試験用水を溜めて必要な水圧を防水扉に対して負荷し、これにより精度良く防水扉の水密試験を行うことができる。したがって、組立設置後やメンテナンス時毎に、使用環境に近い状態で高精度の水密試験を迅速に実施することができ、信頼性の高い防水扉装置を提供することができる。
【０００７】
請求項２記載の発明は、防水扉を開閉駆動する扉開閉装置を設けるとともに、該扉開閉装置に、開閉駆動用の水道圧シリンダを設け、前記水道圧シリンダの配管から試験用受水槽に試験用の水を供給する給水管を設けたものである。
【０００８】
上記構成によれば、開閉駆動用に使用する水道圧シリンダの配管から駆動源の水道水を試験用水に供給することにより、給水ホースの設置作業を削除できて、容易に水密試験を行うことができる。
【０００９】
請求項３記載の発明は、防水扉を収納する収納室を設けるとともに、扉開閉装置により防水扉を収納室と出入口の間で開閉移動自在に構成し、前記収納室に落とし堰を収容する堰収納部を形成したものである。
【００１０】
上記構成によれば、水密試験に使用する落とし堰を、防水扉の収納室に収納できるので、試験用部材の運搬や収納場所が不要となり、水密試験作業を迅速かつ容易に実施できる。
【００１１】
【発明の実施の形態】
ここで、本発明に係る水密試験機能を具備した防水扉装置の実施の形態を図１〜図７に基づいて説明する。
【００１２】
図１に示すように、出入口１の左右両側には支柱体２がそれぞれ立設され、これら支柱２は、支柱本体２ａとその前部（止水面側）に一体に設けられた補助支柱部２ｂからなり、また左右の支柱体２間の前部床面に収納室３が形成されている。この収納室３には、上段扉４Ａと下段扉４Ｂと連結部材４ｃからなる防水扉４が折り畳まれて収納されており、収納室３内に折り畳まれた防水扉４を展開しつつ引き起こして支柱体２間に起立させ出入口１を閉鎖する扉開閉装置５が左右の支柱体２にそれぞれ設けられている。
【００１３】
前記防水扉４は、図２〜図４に示すように、下段扉４Ｂの下辺部がヒンジ６Ａ介して収納室３の後面部３ａに水平軸心回りに回動自在に連結され、さらに下段扉４Ｂの上辺部と上段扉４Ａの下辺部が連結部材４ｃにヒンジ６Ｂ，６Ｃを介して水平軸心回りに回動自在に連結されている。また防水扉４の背面側には、下辺部が収容室３の後面部３ａが取り付けられて背面全体を覆う合成ゴム製で可撓性のシール板８が設けられており、防水扉４が起立した閉鎖姿勢でシール板８の底辺部と左右側辺部が支柱体２のシール面２ｓと収納室３の後面部３ａにそれぞれ圧接されてシールするように構成されている。
【００１４】
また上辺扉４Ａの両肩部には、支柱体２の補助支柱部２ｂに設けられた開閉ガイドレール９に案内される円筒状のガイド部材１０が取り付けられ、またこのガイド部材１０に後述するワイヤロープ１２も案内される。
【００１５】
扉開閉装置５は、支柱体２の支柱本体部２ａ内に収納されてピストンロッド１１ａをガイド溝１１ｂを介して下方に伸縮自在な開閉駆動用の水道圧シリンダ１１と、基端部がピストンロッド１１ａの出力端に連結され複数のシーブ１３ａ〜１３ｃを介して先端部が上段扉４Ａのブラケット１４に連結されたワイヤロープ（索体）１２と、閉動開始時に上段扉４Ａと下段扉４Ｂとを折り畳む閉動開始機構１４とで構成されている。
【００１６】
前記折り畳み開始機構１４は、コーナー部が水平ピンを介して回動自在に支持されたＬ形レバー１５と、このＬ形レバー１５の作動端を後退方向に付勢する復帰用ばね１６と、ピストンロッド１１ａに取り付けられ上昇開始時にＬ形レバー１５の受動端を押し上げてＬ形レバー１５の作動端を押出し方向に駆動するレバー作動ドグ１７とで構成されている。
【００１７】
また図５に示すように、水道圧シリンダ１１に水道水を給水する給水配管装置は、水道配管２０に接続された給排水管２１に手動式切換弁２２と電磁開閉弁２３とが介在され、第１の配管部２１ａがコントロールバルブ２４を介して水道圧シリンダ１１の進展室に接続され、第２の配管部２１ｂがボールバルブ２５を介して水道圧シリンダ１１の収縮室に接続されている。したがって、防水扉４を閉鎖する時には、手動式切換弁を中立位置ＩからＩＩ位置に切り替えるか、または遠隔操作により電磁式開閉弁２３が中立位置ａから開放位置ｂに切り替えられることにより、第１の配管部２１ａから水道圧シリンダ１１の進展室に給水され、水道圧シリンダ１１がコントロールバルブ２４により一定速度でそれぞれ進展される。また開放時には手動式切換弁がＩＩＩ位置に切り替えられて、第２の配管部２１ｂから水道圧シリンダ１１の収縮室に給水される。さらに第２の配管部２１ｂのボールバルブ２５の基端側に、試験用配管２７が接続されている。なお、図３に示すＢＯＸ部分は、制御ボックス内の配管部であり、ＯＵＴ部分は、制御ボックス外の配管部である。
【００１８】
本発明に係る水密試験機能は、補助支柱部２ｂの対向面間に止水壁３１を形成することにより、防水扉４と支柱体２と止水壁３１とで試験用受水槽３２を形成し、この試験用受水槽３２に所定量の水を注水することにより、防水扉４の漏水を試験するものである。すなわち、左右の補助支柱部２ｂの対向面に、上端が開放され収納室３の側面に連続する上下方向の嵌溝３３がそれぞれ形成され、これら嵌溝３３に、複数段の落とし堰３１ａ〜３１ｄを上方から順次落とし込んで両端部を嵌合させ止水壁３１が形成される。また図６，図７に示すように、嵌溝３３の前面側には、水圧により圧縮されるシール材３４が取り付けられている。ここで、この止水壁３１は背面全体を覆う防水シート３５を被せることにより防水構造としているが、図８に示すように、落とし堰３１ａ〜３１ｅの各接合面に長さ方向に沿って形成された凹溝と凸条とを嵌合密接させて防水構造とすることもできる。さらに最下部の落とし堰３１ａには、試験用受水槽３２から水を排水する排水弁３６が設けられている。さらにまた収納室３に排水管３８が接続されている。
【００１９】
また収納室３には、折り畳まれた防水扉４の底側に、落とし堰３１ａ〜３１ｄと防水シート３５とを収納する堰収納部３７が形成されている。
上記構成において、出入口１を閉鎖する場合には、手動式切換弁２２（または電磁式開閉弁２３）を中立位置Ｉ（ａ）からＩＩ（ｂ）位置に操作して水道水を水道圧シリンダ１１の進展室に供給し、水道圧シリンダ１１を進展させてワイヤロープ１２を引き込み、収納室３内の防水扉４を起立させつつ展開させ、起立させる。さらに起立状態となった防水扉４をワイヤロープ１２により引き付けることにより、防水扉４のシール板８を支柱体２のシール面２ｓおよび収納室３の後面部３ａに押付け、シール板８を圧縮して止水する。手動式切換弁２２は中立位置Ｉに戻される。
【００２０】
ここで水密試験を行う場合には、収納室３の堰収納部３７から落とし堰３１ａ〜３１ｄと防水シート３５とを取出し、防水シート３５を収納室３の底部と嵌溝３３にセットして、落とし堰３１ａ〜３１ｄを順次嵌溝３３に落とし込み、落とし堰３１ａ〜３１ｄの背面（防水扉４側）全体が防水シート３５で覆われた止水壁３１を形成する。ついで、ボールバルブ２５を閉じ手動式切換弁２２をＩＩＩ位置とすることにより、試験用配管２７のバルブ２７ａを開けて試験用受水槽３２に水を供給して所定量溜める。これにより、防水扉４のシール板８からの漏水がないかどうかを試験する。
【００２１】
水密試験終了後は、排水弁３６を開放して受水槽３２内の水を収納室３７を介して排水管８に排水する。排水後、落とし堰３１ａ〜３１ｄと防水シート３５とを嵌溝３３から抜き出して、堰収納部３７に収容する。
【００２２】
ついで、防水扉４を開放する場合には、ボールバルブ２５を開けて水道圧シリンダ１１の収縮室に給水して収縮させ、ワイヤロープ１２を繰出す。この時、ピストンロッド１１ａに設けられたレバー作動ドグ１７がＬ形レバー１５の受動端を押し上げて回動させ作動端を前方に突出される。これにより上段扉４Ａが下部が前方に押出されて上段扉４Ａと下段扉４Ｂが折り曲げられ、開閉始動機構１４により折り畳みが開始される。そしてワイヤロープ１２が繰出されて、上段扉４Ａと下段扉４Ｂが折り畳まれ収納室３に収容される。この開放状態で、上段扉４Ａの前面が収納室３を覆うカバーと歩廊とに兼用される。
【００２３】
上記実施の形態によれば、閉鎖位置で、防水扉４の止水面側となる補助支柱部３ｂの対向面に嵌溝３３を設けておき、組立後やメンテナンス時に、収納室３の堰収納部３７に収納された落とし堰３１ａ〜３１ｅを取り出して嵌溝３３に順次嵌合させることにより止水壁３１を形成し、防水扉４と支柱体２と止水壁１４との間に受水槽３２を形成することで、容易かつ迅速に水密試験を行うことができる。したがって、組立時やメンテナンスごとに高精度の水密試験を実施することができ、突発的な異常気象による災害に的確に対処することができる。
【００２４】
また、給水配管装置のボックス外配管から取り出した試験用配管２７から試験用受水槽３２に給水することができるので、余分な給水ホースなどの取りまわしも不要となり、また落とし堰３１ａに設けられた排水弁３７により収容室３を介して排水管３８に排水することができ、試験用の器具や用具を用意する必要がない。
【００２５】
さらに、収容室３に、落とし堰３１ａや防水シート３５を収容する堰収納部３７を形成したので、試験のために運搬作業も不要となり、迅速に水密試験が可能となる。
【００２６】
【発明の効果】
以上に述べたごとく請求項１記載の発明によれば、組立設置後やメンテナンス時に、防水扉を閉じて、落とし堰を嵌溝に落とし込んで止水壁を形成することにより、止水壁と前記左右の支柱体と防水扉とにより形成された試験用受水槽に、所定量の試験用水を溜めて必要な水圧を防水扉に対して負荷し、これにより精度良く防水扉の水密試験を行うことができる。したがって、組立設置後やメンテナンス時毎に、使用環境に近い状態で高精度の水密試験を迅速に実施することができ、信頼性の高い防水扉装置を提供することができる。
【００２７】
請求項２記載の発明によれば、開閉駆動用に使用する水道圧シリンダの配管から駆動源の水道水を試験用水に供給することにより、給水ホースの設置作業を削除できて、容易に水密試験を行うことができる。
【００２８】
請求項３記載の発明によれば、水密試験に使用する落とし堰を、防水扉の収納室に収納できるので、試験用部材の運搬や収納場所が不要となり、水密試験作業を迅速かつ容易に実施できる。
【図面の簡単な説明】
【図１】本発明に係る水密試験設備を有する防水扉装置の実施の形態を示し、（ａ）は開放状態の概略斜視図、（ｂ）は試験状態の分解斜視図である。
【図２】同防水扉装置の開放状態の側面断面図である。
【図３】同防水扉装置の水密試験状態を示す側面断面図である。
【図４】同防水扉装置の水密試験状態を示す部分背面図である。
【図５】同防水扉装置の配管図である。
【図６】同防水扉装置の止水壁を説明する概略平面断面図である。
【図７】同防水扉装置の止水壁を説明する概略側面断面図である。
【図８】同止水壁の落とし堰の連結部の変形例を示す拡大側面断面図である。
【符号の説明】
１　　出入口
２　　支柱体
２ｓ　シール面
３　　収納室
４　　防水扉
４Ａ　上段扉
４Ｂ　下段扉
５　　扉開閉装置
８　　シール板
１１　　水道圧シリンダ
１１ａ　ピストンロッド
１２　　ワイヤロープ
１３ａ〜１３ｃ　シーブ
１４　　閉動開始機構
１５　　Ｌ形レバー
１７　　レバー作動ドグ
２１　　給水配管
２２　　手動式切換弁
２５　　第３給水管
２６　　給水弁
３１　　止水壁
３１ａ〜３１ｄ　落とし堰
３２　　受水槽
３３　　嵌溝
３４　　シール材
３５　　防水シート
３６　　排水弁
３７　　堰収納部
３８　　排水管
【図１】
2004044284.tif 000003
【図２】
2004044284.tif 000004
【図３】
2004044284.tif 000005
【図４】
2004044284.tif 000006
【図５】
2004044284.tif 000007
【図６】
2004044284.tif 000008
【図７】
2004044284.tif 000009
【図８】
2004044284.tif 000010